(57)【要約】      （修正有）【課題】位置検出時における誤動作を防止するＥＭ(電磁誘導)センサーを備えた液晶表示装置を提供する。【解決手段】液晶パネル40と、前記液晶パネルの下部に導光板33、導光板の一方に形成されたランプ31及び導光板の下部面の反射板34からなるバックライトユニットと、前記反射板の下部から延長され、前記導光板の一方の前記ランプを囲むようにフレキシブルな材質で形成された第１ランプハウジング32と、前記第１ランプハウジングの下部に前記ランプを包んで支持するように形成された第２ランプハウジング35と、前記液晶パネル及び前記バックライトユニットを支持するメイン支持台42と、前記メイン支持台及び前記第１，第２ランプハウジングの下部に形成されたＥＭセンサー39と、前記メイン支持台及び前記液晶パネルの外郭部を囲むケーストップ43とを含んでなることを特徴とする。【選択図】図４
2004302432.tif 000002
【特許請求の範囲】
【請求項１】
液晶パネルと、
前記液晶パネルの下部に導光板、導光板の一方に形成されたランプ及び導光板の下部面の反射板からなるバックライトユニットと、
前記反射板の下部から延長され、前記導光板の一方の前記ランプを囲むようにフレキシブルな材質で形成された第１ランプハウジングと、
前記第１ランプハウジングの下部に前記ランプを囲んで支持するように形成された第２ランプハウジングと、
前記液晶パネル及び前記バックライトユニットを支持するメイン支持台と、
前記メイン支持台及び前記第１，第２ランプハウジングの下部に形成されたＥＭセンサーと、
前記メイン支持台及び前記液晶パネルの外郭部を囲むケーストップと
を含んでなることを特徴とするＥＭセンサーを備えた液晶表示装置。
【請求項２】
前記第１ランプハウジングはプラスチックフィルムからなる
ことを特徴とする請求項１記載のＥＭセンサーを備えた液晶表示装置。
【請求項３】
前記プラスチックフィルムは、ＰＥＴ（Poly Ethylene Terephtalate）、ＰＰＴ（Poly Propylene Terephtalate）、ポリカーボネート（Poly carbonate）、ポリアリレート（Poly Arylate）のうち何れか一つからなる
ことを特徴とする請求項２記載のＥＭセンサーを備えた液晶表示装置。
【請求項４】
前記第２ランプハウジングは前記ＥＭセンサーの非有効領域に前記ランプを囲むように形成される
ことを特徴とする請求項１記載のＥＭセンサーを備えた液晶表示装置。
【請求項５】
前記第２ランプハウジングは金属からなる
ことを特徴とする請求項４記載のＥＭセンサーを備えた液晶表示装置。
【発明の詳細な説明】
【技術分野】
【０００１】
本発明は液晶表示装置に関し、特に、１次でフレキシブルな材質のランプハウジングを形成し、２次で導光板を除いたランプ側にのみ、フレキシブルな材質のランプハウジングを支持する補助ランプハウジングをさらに形成することで、位置検出時における誤動作を防止したＥＭ（Electro Magnetic：電磁誘導）センサーを備えた液晶表示装置に関する。
【背景技術】
【０００２】
パソコン、携帯用伝送装置、その他の個人専用情報処理装置などは、キーボード、マウス、デジタイザーなどの多様な入力装置を用いてテキスト及びグラフィック処理などを行う。
【０００３】
このような入力装置は、パソコンの用途拡大に伴い、インターフェースとしての入力装置としてキーボード及びマウスだけでは製品対応が難しく、より簡単で誤操作が少なく、誰でも入力でき、また携帯しながら手で文字入力が可能なことの必要性によって発展してきた。
【０００４】
現在は、かかる入力装置の一般的な機能と関連した必要性を満足させる水準を超え、高信頼性、新機能の提供、耐久性、材料や物質を含む設計及び加工と関連した製造技術などのようなきめ細かい技術に関心が変わりつつある。特に、簡単で誤操作が少なく、携帯しながら誰でも入力が可能であり、他の入力機器の必要なしに文字入力の可能な入力装置としてタッチパネルが知られており、それによる検出方式、構造及び性能などについても良く知られている。
【０００５】
簡単に調べると、スペーサーにより隔離され、押圧によって互いに接触するように配置された２つの抵抗成分のシートを合わせて構成される抵抗膜方式と、静電容量方式、電磁誘導（ＥＭ：Electro Magnetic）方式などがある。
【０００６】
前記抵抗膜方式は、直流電圧を印加した状態で圧力により押された位置を電流量の変化として感知し、静電容量方式は、交流電圧を印加した状態で容量結合を用いて感知する。また、電磁誘導方式は、磁界を印加した状態で選択された位置を、誘導電圧で共振する共振周波数を検出して感知する。
【０００７】
それぞれの方式にしたがって信号増幅の問題や解像度の差、設計及び加工技術の難易度の差などが異なる特徴があり、長所をよく生かせるように区分してその方式を選択する。その選択基準として、光学的な特性、電気的な特性、機械的な特性、耐環境特性、入力特性などの他に、耐久性や経済性なども考慮される。
【０００８】
最近、正確な位置鑑別が可能であるという点で電磁誘導型のタッチパネルの開発が注目されている。
【０００９】
一方、液晶表示装置の殆どは外部から入り込む光源量を調節して画像を表示する受光性の素子であるので、液晶パネルに光を照射するための別途の光源、バックライトが必要である。
【００１０】
ここで、光源としては、ＥＬ（Electro Luminescence）、ＬＥＤ（Light Emitting Diode）、ＣＣＦＬ（Cold Cathode Fluorescent Lamp）、ＨＣＦＬ（Hot Cathode Fluorescent lamp）などを使用し、特に、長受命で消費電力が少なく、薄型形成が可能なＣＣＦＬ方式が大画面カラーＴＦＴ ＬＣＤで多く使用されている。
【００１１】
ＣＣＦＬ方式はペニング効果を用いるために、アルゴン（Ａｒ）、ネオン（Ｎe）などを添加した水銀（Ｈｇ）ガスを低圧で封入した蛍光放電管を使用している。管の両端には電極が形成されるが、陰極は板状に広く形成され、電圧が印加される場合、スパッタリング現象でのように、放電管内の荷電粒子が板状の陰極と衝突して２次電子を発生させ、これが周辺の元素を励起させ、プラズマを形成させる。この元素は強い紫外線を放出し、この紫外線が再び蛍光体を励起させ、蛍光体が可視光線を放出する。
【００１２】
このようなバックライトは、ランプユニットが設けられる位置によってエッジ方式と直下方式とに区分される。
【００１３】
まず、エッジ方式とは、光を案内する導光板の側面にランプユニットが設けられるものであって、ランプユニットは光を発散するランプ、ランプの両端に挿入され、ランプを保護するランプホルダー、及びランプの外周面を囲み、かつ一方面が導光板の側面に挟まれてランプから発散した光を導光板の側に反射させるランプ反射板を備える。
【００１４】
このように導光板の側面にランプユニットが設けられるエッジ方式は、主にラップトップ型のコンピューター、及びデスクトップ型のコンピューターのモニタのように、割に大きさの小さい液晶表示装置に提供されるもので、光の均一性に優れ、耐久寿命が長く、液晶表示装置の薄型化に有利である。
【００１５】
一方、直下方式は、液晶表示装置の大きさが２０インチ以上に大型化し始めてから重点的に開発され始めたもので、拡散板の下部面に複数個のランプを一列に配列させ、液晶パネルの全面に光を直接照射する。かかる直下方式は、エッジ方式に比べて光の利用効率が高いため、高輝度を要求する大画面の液晶表示装置に主に使用されている。
【００１６】
しかしながら、直下方式が採択された液晶表示装置の場合は、大型モニタやテレビジョンなどに使用され、ラップトップ型のコンピューターに比べて使用時間が長く、ランプの数も多いため、エッジ方式よりランプの故障、及びランプの寿命が終了して点灯しない可能性が高い。
【００１７】
かかる直下方式では画面の下面にランプが複数個設けられるため、ランプの寿命及び故障によって、例えば一つのランプが点灯しない場合に、ランプが点灯しない部分が他の部分より顕著に暗くなるので、その非点灯の部分が画面上に直ぐに現れる。このため、直下方式ではランプの交換が頻繁に行われるので、ランプユニットの分解及び組立に容易な構造を有しなければならない。
【００１８】
以下、添付の図面を参照して、エッジ方式のバックライトユニットとＥＭセンサーを備えた、従来におけるＥＭセンサーを備えた液晶表示装置を説明する。
【００１９】
図１は、一般的なバックライトアセンブリの構造を説明するための図面である。図１に示すように、蛍光ランプ１、導光板２、拡散物質３、反射板４、拡散板５及びプリズムシート６などで構成されている。
【００２０】
まず、前記蛍光ランプ１は、電圧が印加されると、蛍光ランプ１内に存在する残留電子が陽極に移動し、移動中の残留電子がアルゴン（Ａｒ）と衝突して、アルゴンが励起され陽イオンを増殖させ、増殖した陽イオンが陰極に衝突して２次電子を放出する。
【００２１】
前記放出された２次電子が管内を流れて放電を開始すると、放電による電子の流れが水銀蒸気と衝突、電離して紫外線と可視光が放出され、放出された紫外線がランプの内壁に塗布された蛍光体を励起させ、可視光を放出して光を発散する。
【００２２】
次いで、前記導光板２は、前記蛍光ランプ１から発散された光が内部に入射し、上部に面光源が出射するようにするライトウェーブガイドとして、光透過力に優れたＰＭＭＡ（Poly Methyl Meta Acrylate）樹脂が使用される。
【００２３】
前記導光板２の光入射効率に関係する要素としては、導光板の厚さ対ランプ直径、導光板とランプの間の距離、ランプ反射板の形態などがあり、一般的に、蛍光ランプ１を導光板２の中心より厚さ方向に斜めに置くことで、光入射効率が高まる。ＬＣＤ用バックライトユニットの導光板２としては、印刷方式の導光板、Ｖ−ｃｕｔ方式の導光板及び散乱導光板などがある。
【００２４】
次いで、前記拡散物質３は、ＳｉＯ2、粒子とＰＭＭＡ、ソルベントなどからなる。この際、上述したＳｉＯ2粒子は光拡散用として使用され、多孔質粒子構造を有する。また、ＰＭＭＡはＳｉＯ2粒子を導光板２の下部面に取り付けるために使用される。
【００２５】
前記拡散物質３は、ドット形態で導光板の下部面に塗布され、導光板２の上部からの均一な面光源を得るためにドットの面積が段階的に増加する。即ち、蛍光ランプ１から近い側は単位面積あたりドットの占める面積率が小さく、蛍光ランプ１から遠い側は単位面積あたりドットの占める面積率が大きい。この際、ドットの形状は様々なものが可能であり、単位面積あたりドットの面積率が同一であれば、ドットの形状に関係なく、導光板の上部で同じ明るさの効果が得られる。
【００２６】
次いで、反射板４は、導光板２の後端に設けられ、蛍光ランプ１から出射された光が導光板２の内部に入射するようにする。そして、前記拡散板５は、ドットパターンが塗布された導光板２の上部に設けられ、視野角にしたがって均一な輝度が得られるようにするが、拡散板５の材質としては、ＰＥＴやＰＣ（Poly carbonate）樹脂を使用し、拡散板５の上部には拡散の役割を果たす粒子コーティング層がある。
【００２７】
次いで、プリズムシート６は、前記拡散板５の上部に透過され反射される光の正面の輝度を高めるためのもので、前記プリズムシート６は特定の角度の光のみ透過するようにし、その他の角度で入射した光は内部で全反射が起こり、プリズムシート６の下部に後戻りする。このように後戻りした光は導光板２の下部に取り付けられた反射板４により反射する。
【００２８】
上記のように構成されたバックライトアセンブリは、モールドフレームに固定され、バックライトアセンブリの上面に配置される液晶パネルはトップケースで保護され、トップケースとモールドフレームはその間にバックライトアセンブリと液晶パネルを収容したままで結合される。
【００２９】
図２は、従来のＥＭセンサーを備えた液晶表示装置を示す概略的な断面図である。図２に示すように、内面に蛍光体がコーティングされ、光を発散する蛍光ランプ１１と、該蛍光ランプ１１を固定させると同時に前記蛍光ランプ１１から照射された光を一方向に集光させるランプハウジング１２と、前記蛍光ランプ１１から発散した光をバックライトの上部の液晶パネル１０側に供給する導光板１３と、該導光板１３の下部に取り付けられ、液晶パネル１０の反対側に漏れ出る光を導光板１３に反射させる反射板１４と、前記導光板１３の上部に位置して、導光板１３からの光を均一に拡散させる拡散板１５と、該拡散板１５の上部に位置して、前記拡散板１５から拡散した光を集光させ、液晶パネル１０に伝達するプリズムシート１６と、該プリズムシート１６の上部に位置して、前記プリズムシート１６を保護する保護シート１７と、前記構成要素を収納して固定させるメイン支持台１８とで構成されている。
【００３０】
上記のように構成されたバックライトユニットで蛍光ランプ１１から発散した光は導光板１３の入光面に集光し、導光板１３を経て拡散板１５とプリズムシート１６とを順次経て液晶パネル１０に伝達される。
【００３１】
そして、電磁誘導型のタッチパネルの機能を有するＥＭセンサー１９が前記ランプハウジング１２の下部に形成されるが、アルミニウム（Ａｌ）成分のランプハウジング１２の下部に形成されるＥＭセンサー１９は、ランプハウジング１２とオーバーラップして形成される部分のうち実際にＥＭセンサーの有効領域として作用する領域Ｂで前記ランプハウジング１２が電子（針）ペン７からＥＭセンサー１９、又はＥＭセンサーセンサー１９から電子ペン７への電磁気の伝達を遮断して、前記電子ペン７の位置検出時に誤動作が発生する。
【００３２】
ここで、Ａ領域は液晶パネル１０では有効領域ではないが、ＥＭセンサー１９では有効領域の部分を示し、Ｂ領域はＥＭセンサー１９の有効領域に入ったランプハウジング１２の部分を示す。そして、Ｃ領域はＥＭセンサー１９の非有効領域で導光板が位置する部分を示す。
【００３３】
以下、前記ＥＭセンサー１９の構成及びその動作を説明する。一般的な電磁誘導型のタッチパネルのように、前記ＥＭセンサー１９は一方のセットが他方のセットに対して直交して配列される２つのセットのアレイコイル（又はコイル）を備えた平板からなる。前記平板のコイルの構成は複数個のコイルがフレキシブルＰＣＢ（Printed Circuit Board）の平面上に重なって配列されている形態でなり、各コイルは、Ｘ，Ｙ軸に対してそれぞれ所定間隔離隔して配列されており、各軸の各コイルの一方は接地電圧と連結され、他方は選択信号を印加された一つの共通基準の電位線に連結されている。
【００３４】
このように、バックライトユニット内にＥＭセンサーを備えたシステムにおいて、液晶パネル上に共振回路を備えた専用ペンを位置させると、前記ＥＭセンサーは直流信号によって駆動して共振する磁界を生成し、共振する磁界は前記アレイコイルに信号を誘導する。このアレイコイルに誘導された信号はバックライトユニットの下部の制御部で感知され比較される過程を経て２次元で平板の表面に対する位置を決定するために用いられる。
【００３５】
前記多数個のコイルが装着されたＥＭセンサー１９は、前記コイルが遮光成分の導体で形成されているので、バックライトユニットの反射板１４の下部に位置することで前記コイルによる透過率の損失を防止する。
【００３６】
電子波を感知して駆動する電磁誘導型のタッチパネルは、表示装置の上部に形成されてこそ位置検出の可能な抵抗膜方式や、静電容量方式のタッチパネルと異なり、表示装置及び光源を通過しても電磁力が貫通可能であり、実際にタッチが行われる表示面からセンサーが離隔されてもタッチの位置を判断できる。
【発明の開示】
【発明が解決しようとする課題】
【００３７】
しかしながら、上記のような従来のＥＭセンサーを備えた液晶表示装置は次のような問題がある。
【００３８】
ランプから発散される光を集光するためにランプハウジングを行うが、アルミニウム材質のランプハウジングがＥＭセンサーとオーバーラップする部位で、電子ペンとＥＭセンサーとの電磁気の伝達が遮断され、ＥＭセンサーの外郭部の位置検出時に誤動作が発生したりした。
【００３９】
そこで、本発明は上記のような問題点を解決するためになされたもので、１次でフレキシブルな材質のランプハウジングを形成し、２次で導光板を除いたランプ側にのみ、フレキシブルな材質のランプハウジングを支持する補助ランプハウジングをさらに形成することで、位置検出時における誤動作を防止した、ＥＭセンサーを備えた液晶表示装置を提供することにその目的がある。
【課題を解決するための手段】
【００４０】
上記目的を達成するための本発明のＥＭセンサーを備えた液晶表示装置は、液晶パネルと、前記液晶パネルの下部に導光板、導光板の一方に形成されたランプ及び導光板の下部面の反射板からなるバックライトユニットと、前記反射板の下部から延長され、前記導光板の一方の前記ランプを囲むようにフレキシブルな材質で形成された第１ランプハウジングと、前記第１ランプハウジングの下部に前記ランプを包んで支持するように形成された第２ランプハウジングと、前記液晶パネル及び前記バックライトユニットを支持するメイン支持台と、前記メイン支持台及び前記第１，第２ランプハウジングの下部に形成されたＥＭセンサーと、前記メイン支持台、及び前記液晶パネルの外郭部を囲むケーストップとを含んでなることを特徴とする。
【００４１】
前記第１ランプハウジングはプラスチックフィルムからなる。
【００４２】
前記プラスチックフィルムはＰＥＴ（Poly Ethylene Terephtalate）、ＰＰＴ（Poly Propylene Terephtalate）、ポリカーボネート（Poly carbonate）、ポリアリレート（Poly Arylate）のうち何れか一つからなる。
【００４３】
前記第２ランプハウジングは前記ＥＭセンサーの非有効領域に前記ランプを囲むように形成される。ここで、前記第２ランプハウジングは金属からなる。
【発明の効果】
【００４４】
上記のような本発明のＥＭセンサーを備えた液晶表示装置は次のような効果がある。
ランプの光を集光する第１ランプハウジングをプラスチックフィルムで導光板の一部とオーバーラップしランプを囲むように形成し、ランプ側の前記ランプハウジングを固定するように第２ランプハウジングをさらに形成することで、ＥＭセンサーの有効領域で金属成分のランプハウジングを省略して、ＥＭセンサーと電子ペンとの電磁信号の伝達に異常がないようにして正常な位置検出を可能にする。
【発明を実施するための最良の形態】
【００４５】
以下、本発明によるＥＭセンサーを備えた液晶表示装置を添付の図面に基づいて詳細に説明する。図３は、本発明のＥＭセンサー及びＥＭセンサーの駆動回路を示すブロック図である。図３に示すように、本発明のＥＭセンサー３００は、それぞれＸ軸アレイ及びＹ軸アレイのコイルと、各アレイコイルにそれぞれ結合されるＸ−マルチプレクサ（Ｘ−ＭＵＸ）及びＹ−マルチプレクサ（Ｙ−ＭＵＸ）を含めてなる。したがって、読み出しの際、特定のＹ軸コイルはＹアドレス信号（Ｙ−ＡＤＤＲ）により選択され、特定のＸ軸コイルはＸアドレス信号（Ｘ−ＡＤＤＲ）により選択されるが、両信号共に制御部４００により発生する。
【００４６】
そして、ＥＭセンサー３００は、共振回路を備えた外部の電子ペン２００を介して所定の位置にコイルに誘導された信号を発生し、該信号を通じて位置を検出する。
【００４７】
選択されたＹ軸コイル及びＸ軸コイルからの出力信号は制御部４００に提供される。前記制御部４００は出力信号を段階的に増幅する増幅器２４を含み、増幅器２４の出力は、検出器２５、ローパスフィルター（ＬＰＦ）２６、及びサンプルアンドホールド（Ｓ／Ｈ）部２７を介して、アナログ−デジタル変換部２８に供給される。
前記アナログ−デジタル変換部２８は、アナログ信号の大きさや極性をデジタル形式に変換してＣＰＵ２３に入力する。
【００４８】
前記増幅器２４の出力は、検出器２５に供給され、これは再びローパスフィルター２６及びサンプルアンドホールド部２７に供給される。前記サンプルアンドホールド部２７は、あるコイルの測定値が前記アナログ−デジタル変換部２８がデジタル化する間にホールディングし、その間、前の回路では二番目の後続コイルの測定が開始される。
【００４９】
前記センサーユニット３００は、フレキシブルなＰＣＢの平面上に重なって配列されている複数個のコイルを含み、各コイルはＸ，Ｙ軸に対してそれぞれ適切に配列されており、各軸のコイルの一方は接地電圧と連結され、他方はマクス部と連結され、そのうち一方が選択されて所定のレベルの電位線に連結されている。
【００５０】
ユーザーが電子ペン２００を手に取ると、前記ＣＰＵ２３の制御によって正弦波発生器２１から発生する正弦波電流２２が前記電子ペン２００に印加され、それによって前記電子ペン２００の周囲に正弦波の磁束が形成される。
【００５１】
この際、ユーザーがセンサー部３００上に前記電子ペン２００を近接させると、電子ペン２００の位置にしたがってセンサー部３００に配置されている各コイルにそれぞれ異なる大きさの正弦波電圧が誘起され、検出器２５及び前記アナログ−デジタル変換機２８を介して前記ＣＰＵ２３に入力される。
【００５２】
その後、前記ＣＰＵ２３は、コイルに誘起された電圧値から前記センサー部３００上の電子ペン２００の位置を算出して、０・から３６０・の間の角度値で出力し、前記電子ペン２００の出力データは液晶パネル（図４の４０参照）に印加されるか、前記ＣＰＵ２３に貯蔵される。
【００５３】
上記のように動作する電磁誘導型タッチパネルで、ユーザーはセンサー部３００の面積が広いほど希望の図形を図示しやすく、解像度が高いほど効率に優れ、前記解像度はセンサー部３００内のコイル間隔に反比例する。即ち、コイル間隔が狭いほど解像度は高い。
【００５４】
このように、電磁誘導型のタッチパネルは、センサー部３００の内部に多数個のコイルが装着され、電磁的な変化を感知して電子ペン２００の位置を把握する。したがって、抵抗膜方式などと異なり、センサー部３００が必ず液晶パネル４０の前面に配置される必要はなく、液晶パネルの背面にデジタイザーの装着が可能である。即ち、センサー部３００の上部に液晶パネルなどが配置されても、電磁力が貫通可能で、かつ、電磁的に均一な物質がある場合に、前記センサー部３００は液晶パネルの上面で動く電子ペンなどに対する位置認識が可能となる。
【００５５】
図４は、本発明のＥＭセンサーを備えた液晶表示装置を示す概略的な断面図である。以下では液晶パネルを省略し、液晶パネルの下部以下のバックライトユニットなどに係る概略的な図面を示す。
【００５６】
図４に示すように、本発明のＥＭセンサーを備えた液晶表示装置は、上下部の偏光板４１ａ，４１ｂが形成された液晶パネル４０と、該液晶パネル４０の下部の一方に光を発散する蛍光ランプ３１と、該蛍光ランプ３１を固定させると共に、前記蛍光ランプ３１から照射した光を一方向に集光させる軟性のフィルムからなる第１ランプハウジング３２と、前記蛍光ランプ３１から発散した光をバックライトの上部の液晶パネル４０側に供給する導光板３３と、該導光板３３の下部から液晶パネル４０の反対側に漏れ出る光を導光板３３に反射させる反射板３４と、前記第１ランプハウジング３２の下部に前記蛍光ランプ３１の部位のみを囲むように形成された第２ランプハウジング３５と、前記導光板３３の上部に位置して、導光板３３からの光を均一に拡散させる拡散板３６と、前記拡散板３６の上部に位置して、前記拡散板３６から拡散した光を集光させ、液晶パネルに伝達するプリズムシート３７と、該プリズムシート３７の上部に位置して、前記プリズムシート３７を保護する保護シート３８と、それらの構成要素を収納して固定させるメイン支持台４２と、該メイン支持台４２及び前記第１、第２ランプハウジング３２，３５の下部に形成されるＥＭセンサー３９と、前記液晶パネル４０及びメイン支持部４２を囲むように形成されたケーストップ４３とで構成されている。
【００５７】
ここで、前記第１ランプハウジング３２は、電磁気の伝達に影響しないフレキシブルな材質でプラスチックフィルム、例えば、ＰＥＴ、ＰＰＴ、ポリカーボネート、ポリアリレートのうち何れか一つで形成する。そして、第１ランプハウジング３２の反射板と一方でオーバーラップし、前記ランプ部を囲むように形成する。したがって、前記第１ランプハウジング３２と前記ＥＭセンサー３９との一部がオーバーラップする領域でも電磁気の伝達に影響せず、ＥＭセンサー３９の外郭部に位置した電子ペン２００も正常的な位置検出が可能である。
【００５８】
この際、第２ランプハウジング３５は、フレキシブルな第１ランプハウジング３２をランプ側（Ｄ領域）でその形状を維持及び支持するように逆「コ」字状に固形材質で形成し、前記ＥＭセンサー３９の有効領域の外部に形成されるようにその形成位置を調整して形成する。
【００５９】
図４には、前記第２ランプハウジング３５がＥＭセンサー３９の前記反射板３４の外郭部に形成されるように示されているが、ＥＭセンサー３９の有効領域の外郭から前記反射板３４が形成された部位までのマージンを有して形成され得る。
【００６０】
前記反射板３４は前記導光板３３に取り付けられる。この際、前記反射板３４と導光板３３との取り付けが円滑に行われるよう前記導光板３３の下部の背面に接着層を備えるか、導光板３３の下部の背面の外郭面に接着剤をさらに形成する。
【００６１】
上記のように構成されたバックライトユニットで蛍光ランプ３１から発散した光は導光板３３の入光面に集光して、導光板３３を経て拡散板３６とプリズムシート３７とを順次に経て液晶パネル４０に伝達される。
【００６２】
前記ＥＭセンサー３９は、実際有効領域の他に各コイル側に電圧印加部分と、制御部からの信号印加部分が要求され、前記液晶パネル４０より広いサイズで前記第１，第２ランプハウジング３２，３５の下部に平板型に形成される。
【図面の簡単な説明】
【００６３】
【図１】一般的なバックライトアセンブリの構造を説明するための図面である。
【図２】従来のＥＭセンサーを備えた液晶表示装置を示す概略的な断面図である。
【図３】本発明のＥＭセンサー及びＥＭセンサーの駆動回路を示すブロック図である。
【図４】本発明のＥＭセンサーを備えた液晶表示装置を示す概略的な断面図である。
【符号の説明】
【００６４】
２００：電子ペン、３００：ＥＭセンサー、４００：制御部、３１：蛍光ランプ、３２：第１ランプハウジング、３３：導光板、３４：反射板、３５：第２ランプハウジン、３６：拡散板、３７：プリズムシート、３８：保護シート、３９：ＥＭセンサー、４０：液晶パネル、４１ａ，４１ｂ：偏光板、４２：メイン支持台、４３：ケーストップ、Ａ：液晶パネル（ＬＣＭ）の有効領域、Ｂ：ＥＭセンサーの有効領域、Ｄ：第２ランプハウジング形成領域。
【図１】
2004302432.tif 000003
【図２】
2004302432.tif 000004
【図３】
2004302432.tif 000005
【図４】
2004302432.tif 000006